(57)【要約】      （修正有）【課題】混色範囲を隠して、グリップの色彩の境界を整然にしてグリップの質感および価値を向上させること。【解決手段】異色セクション１１の境界にある混色段１２に環状溝１３が設けてあるグリップ本体１と、前記環状溝に嵌合された装飾リング２と、を含み、前記装飾リングには、多段式の異色段が設けてある。【選択図】図２
0003135039.tif 000002
【実用新案登録請求の範囲】
【請求項１】
異色セクションの境界にある混色段に環状溝が設けてあるグリップ本体と、
前記環状溝に嵌合された装飾リングと、を含むことを特徴とする、
ゴルフクラブ用グリップ。
【請求項２】
前記装飾リングには、多段式の異色段が設けてあることを特徴とする、請求項１に記載のゴルフクラブ用グリップ。
【考案の詳細な説明】
【技術分野】
【０００１】
本考案は、ゴルフクラブ用グリップに係り、特に、グリップ本体の異色セクションの境界にある混色段（ゾーン）に装飾リングを嵌合することにより、混色段が隠れてグリップの各段の色の境界が整然となって、グリップの質感および価値が向上するゴルフクラブ用グリップに関するものである。
【背景技術】
【０００２】
現在市販されているゴルフクラブのグリップは、ボールの打撃時にユーザの手の握りの快適性を良くするために、柔らかく、振動吸収効果を有するゴム素材が使用されている。
また、消費者に愛用されるために、グリップは、ユーザの手の握りの快適性を良くすると共に、造型や色彩の変化を加えることも必要である。
【０００３】
色彩に変化を加えた従来のグリップ４を図１に示す。
従来のグリップ４は二つ以上の色彩の組み合わせを採用していて、多段的に異色セクション４１，４１を形成している。
本例では、多段式の異色セクション４１の成形方法について二段式の異色セクションの例を挙げて説明する。
本例の二段式の異色セクションの成形方法は、互いに異なる色彩を有するゴム原料Ａ，Ｂをグリップ成形モールドに同時に注入して加硫成形し、ゴム原料Ａ，Ｂの冷却を待って二色のゴルフクラブ用グリップ４を得る。
【０００４】
上記した製造プロセスにより二色のゴルフクラブ用グリップ４を製作した場合には、異なる色彩を有するゴム原料Ａ，Ｂを加えると、ゴム原料Ａ，Ｂが粘々状態になり、鉛直に流下する特性を有するので、モールド５内に成形されるゴム原料Ａ，Ｂは、固化する前に、その境界部に色が混在した混色現象が発生する。
そのため、固化したゴム原料Ａ，Ｂの境界部には色彩の区別を鮮明にすることができないという欠点があった。
上記問題を解決するために、成形された二色グリップの表面に対応する色彩の塗料を塗装する方法が試みられているが、この塗装方法にあっては加工工数および人件費が増加し、且つ成形されたグリップの色彩と塗料の色彩との間に色の差が発生し易い。
そのため、最終的に得られたグリップの質感および価値が低下するだけでなく、長期間に亘る使用によってグリップに塗装された塗料が摩滅して脱落するといった欠点があった。
【０００５】
また従来のもう一つの多段式の異色セクションのグリップの成形方法としては、まず、グリップのある段を予め形成し、予め形成したものを別のモールドに入れて別の段を成形する方法も試みられている。
段階的にモールド成形する従来の異色セクションのグリップの成形方法は、二種類のゴム原料を前後して成形するために二回もの成形加工を施すことが必要であるだけでなく、異色セクションの境界に混色を確実に回避することができない問題がある。
【考案の開示】
【考案が解決しようとする課題】
【０００６】
本考案の主な目的は、混色した部位を遮蔽できて、グリップの異なる色彩で着色した各部位の境界を整然とできて、グリップの質感および価値が向上するゴルフクラブ用グリップを提供することにある。
【課題を解決するための手段】
【０００７】
上記目的を達成するためになされた本願の第１考案は、異色セクションの境界にある混色段に環状溝が設けてあるグリップ本体と、前記環状溝に嵌合された装飾リングと、を含むことを特徴とするゴルフクラブ用グリップであることを要旨としている。
【０００８】
本願の第２考案では、前記装飾リングには、多段式の異色段が設けてあることを特徴とする前記第１考案に記載のゴルフクラブ用グリップであることを要旨としている。
【考案の効果】
【０００９】
本考案のゴルフクラブ用グリップによれば、次のような効果がある。
（イ）グリップ本体の混色段に環状溝が設けてあり、環状溝に装飾リングが嵌合してあるので、混色段が環状溝に隠れる。そのため、グリップ本体の混色セクションの境界が整然になり、グリップの質感および価値が向上する。
【００１０】
（ロ）グリップ本体の混色段に環状溝が設けてあり、環状溝に装飾リングが嵌合してあるので、装飾リングの色彩を変えることにより、グリップの変化が多くなる。
【００１１】
（ハ）装飾リングが多段式の異色段の設計を採用する場合には、装飾リングの体積が小さいので、使用される原料が少なく、だから、成形された装飾リングが不良品になっても、原料コストは低い。
【考案を実施するための最良の形態】
【００１２】
以下、添付図面を参照して本考案の好適な実施の形態を詳細に説明する。
【００１３】
まず、図２を参照して説明する。
本考案のゴルフクラブ用グリップは、グリップ本体１と、装飾リング２と、から構成されるものである。
【００１４】
前記グリップ本体１は、その成形方法は、図３に示すように、相違の色彩を持つゴム原料Ａ，Ｂをグリップ成形モールド３に同時に注入して加硫成形して、相違の色彩を持つゴム原料Ａ，Ｂが冷却したと、多段式の異色セクション１１を有するグリップ本体１が完成した。
前記グリップ本体１の各段の異色セクション１１の境界である混色段１２には環状溝１３が形成された。
【００１５】
前記装飾リング２は、環状を呈し、前記グリップ本体１に形成された環状溝１３に嵌合可能であり、前記環状溝１３に装飾リング２を嵌合した後、前記装飾リング２の移動が規制される。
【００１６】
このような構成により、図３に示すように、前記グリップ本体１に形成された環状溝１３に装飾リング２を嵌合する場合には、前記環状溝１３がグリップ本体１の各段の異色セクション１１の境界である混色段１２に位置されるので、前記装飾リング２により前記異色セクション１１の境界である混色段１２が隠れれる。
そのため、グリップ本体１の隣接の異色セクション１１の境界が整然になる。
【００１７】
また、前記装飾リング２は、図２に示すように、その色彩がグリップ本体１の隣接の異色セクション１１のうちの一つと同じでもよい。
また、図４に示すように、その色彩がグリップ本体１の隣接の異色セクション１１と相違であってもいいし、図５に示すように、その自身に複数の異色段２１を有してもいい。
【図面の簡単な説明】
【００１８】
【図１】従来のゴルフクラブ用グリップの構造を示す概略図である。
【図２】本考案の実施例１のゴルフクラブ用グリップの分解斜視図である。
【図３】本考案の実施例１のゴルフクラブ用グリップの成形方法を示す断面図である。
【図４】本考案の実施例２のゴルフクラブ用グリップの分解斜視図である。
【図５】本考案の実施例３のゴルフクラブ用グリップの分解斜視図である。
【符号の説明】
【００１９】
１        グリップ本体
２        装飾リング
３        モールド
４        グリップ
５        モールド
１１      異色セクション
１２      混色段
１３      環状溝
２１      異色段
４１      異色セクション
Ａ        ゴム原料
Ｂ        ゴム原料
【図１】
0003135039.tif 000003
【図２】
0003135039.tif 000004
【図３】
0003135039.tif 000005
【図４】
0003135039.tif 000006
【図５】
0003135039.tif 000007